(57)【要約】【課題】  被着体に存する溝部を跨いで覆っている粘着性の保護シートを、その溝部で切断してその切断端部を溝部の内側面に貼り付けて綺麗に処理する。【解決手段】  把持可能なハンドル２に切断刃と回転体３を設けて溝部貼付用具１としている。上記回転体３は円盤状であってその厚さ方向の中央部に稜部６を突設し、その先端縁を切断刃に形成していて、各種被着体に存する溝部を跨ぐように覆っている粘着性保護シートを該溝部においてこれに沿うように切断することができる。この回転体３の厚さ上記溝部の幅よりも大きく形成されており、上記稜部６から回転体３の軸５の両側に向って延びる傾斜面７がある。この傾斜面７は、上記稜部６の切断刃６１によって切断された粘着性保護シートの切断端部を、上記溝部の内側に押し込むようにしながら内側面に貼付できる。【選択図】図７
2013223587.tif 000002
【特許請求の範囲】
【請求項１】
切断刃と回転体を有する把持可能なハンドルを設け、該回転体は円盤状でその厚さ方向の中央部に突設され、被着体に存する溝部を跨ぐように覆っている粘着性保護シートを該溝部においてこれに沿うように押込み可能な稜部を有し、該稜部から回転体の軸の両側に向って延び、上記切断刃によって切断された粘着性保護シートの切断端部を上記溝部の内側面に貼付できるような傾斜面を備え、上記回転体の厚さは上記溝部の幅よりも大きく形成されている粘着シートの溝部貼付用具。
【請求項２】
上記切断刃は、上記回転体の稜部の先端縁に形成されている請求項１に記載の粘着シートの溝部貼付用具。
【請求項３】
上記切断刃は、上記ハンドルの回転体の稜部に近接する位置に設けられている請求項１に記載の粘着シートの溝部貼付用具。
【請求項４】
上記回転体の傾斜面は内側に窪んだ曲面を形成している請求項１〜３のいずれかに記載の粘着シートの溝部貼付用具。
【請求項５】
上記回転体の厚さの中央部に突設された稜部が、該回転体の厚さ方向の一方に偏って形成されている請求項１〜４のいずれかに記載の粘着シートの溝部貼付用具。
【請求項６】
上記回転体の厚さの中央部に突設された稜部が、その中央部において隙間を有する二重稜部に形成されている請求項１〜５のいずれかに記載の粘着性保護シートの溝部貼付用具。
【請求項７】
上記回転体が２つ備わっている請求項１〜６のいずれかに記載の粘着シートの溝部貼付用具。
【請求項８】
上記ハンドルには、上記回転体を溝部においてガイドするような上記被着体の表面に接して回転するガイドローラーを備える請求項１〜７のいずれかに記載の粘着シートの溝部貼付用具。
【発明の詳細な説明】
【技術分野】
【０００１】
本発明は、被着体に存する溝部を跨いで覆っている粘着性の保護シートを、その溝部で切断してその切断端部を溝部の内側面に貼り付けるようにする貼付用具に関する。
【背景技術】
【０００２】
乗用車などの綺麗に塗装されたものは、これを保管中や輸送中にその美装化された塗装表面が傷ついたり、汚されたりすることを防ぐ為に、弱粘着性の保護シートを貼付して覆うようにして保護している。
この保護シートは、自動車組立ラインで貼り付けられるが、この貼付作業は概略貼り付け、切断、圧着の３工程からなっている。フロントフェンダーとボンネットの間、フェンダーとドアの間、ドアとドアの間、リアフェンダーとトランクパネルの間等は、後の整備作業で開閉が必要となるため、貼付後に両者間の溝部の部分で保護シートを切断し、その切断部を内側面に押し付けるようにして折り込んでいる。
【０００３】
上記保護シートを切断する際、切断性（切れ）が悪いと保護シートが伸びて風に対する抵抗となって、保管や輸送時に剥がれ易くなるし、また、切断後の溝内側への圧着が不十分な場合には端部が風への抵抗となるために同様に剥がれ易くなる。
上記した一連の貼付作業は、塗装面の保護という機能面及び貼付後の美観の面からきちんと仕上げることが求められるため、現状では人手と工数、時間を掛けて貼付しているが、こうした保護シートの貼付作業における効率化が求められており、保護シートの貼付方法や裁断方法については、様々な検討がなされている。
【０００４】
上記溝部における処理は、当初、溝部を跨いでこれを覆うように貼り付けられた粘着性保護シートを、溝部の部分でカッターによって切断することが考えられたが、カッターなどの鋭利な金属刃は保護シートをきれいに切断することができるものの、表面の塗膜をも傷つけてしまうことが多く見られ、また、切断した後で別途用意した圧着具によって溝部に貼り付けるという作業も必要とされた。
【０００５】
そうしたことから、図１４に示すような先端４１が尖っているようなプラスチック製のヘラ４２を使用して、保護シートを溝部の奥の方に押付けるようにして切断することが行われたが、塗膜を傷つけることは少ないものの保護フイルムの切断性が充分ではなく、切断端部が伸びて不揃いになって外観が悪いし、溝部への圧着も不充分となるために、切断された端部を更に貼り付ける圧着作業が必要になったりして、全体として作業性が悪く手間が掛かるという欠点があった。
【先行技術文献】
【特許文献】
【０００６】
特になし。
【発明の概要】
【発明が解決しようとする課題】
【０００７】
本発明は、上記の如き溝部を跨いで、溝部を覆うように貼り付けられている粘着性の保護シートを溝部において効率的に切断すると共に、その切断端部を溝部の内側面に確実に貼り付けて保管、輸送時の剥がれを防ぐことができるようにすると共に、作業性にも優れた貼付用具を得ようとするものである。
【課題を解決するための手段】
【０００８】
本発明においては、把持可能なハンドルに切断刃と回転体を設けて粘着シートの溝部貼付用具としている。上記回転体は円盤状でその厚さ方向の中央部に稜部を突設しており、各種被着体に存する溝部を跨ぐように覆っている粘着性保護シートを該溝部においてこれに沿うように押込めることができる。この回転体の厚さは上記溝部の幅よりも広く形成されており、上記稜部から回転体の軸の両側に向って延びる傾斜面があって、上記切断刃によって切断された粘着性保護シートの切断端部を上記溝部の内側面に貼付できるようにしている。
【０００９】
上記切断刃は、上記回転体の稜部の先端縁に形成したり、上記ハンドルの回転体の稜部に近接する位置に設けたりすることができる。また、上記ハンドルには、上記被着体の表面に接して回転しながら、上記した回転体を溝部でガイドするようなガイドローラーを備えるようにすることができる。
【発明の効果】
【００１０】
本発明において、溝部貼付用具は、乗用車の表面を覆うように被せて貼り付けられている粘着性保護シートのフロントフェンダーとボンネットの間などの溝部を跨いでこれを覆っている部分に、その回転体を押付けるようにしながら、回転体を回転させつつ溝部に沿って動かして行くと、溝部に位置する保護シートは切断刃によってスムーズに切断され、その切断端部が回転体の傾斜面によって溝部の内側面に押付けられて貼付されるので、確実に貼付することができ、溝部の表面部分も確実に保護することができる。
また、ガイドローラーが設けられているものでは、回転体の案内、移動が一層容易になり、回転体と別に切断刃を設けたものでは保護シートの切断がより簡単になるし切断刃によって物品の表面を傷つけることがない。
【図面の簡単な説明】
【００１１】
【図１】本発明の実施例を示す斜視図である。
【図２】図１に示すものの一部拡大平面図である。
【図３】図１に示すものの使用状態を示す説明図である。
【図４】図３に示すものの溝部における切断状態を示す一部拡大断面図である。
【図５】本発明の変形例を示す一部拡大平面図である。
【図６】本発明の他の変形例を示す一部拡大平面図である。
【図７】本発明の更に他の変形例を示す斜視図である。
【図８】本発明の他例を示す側面図である。
【図９】本発明のさらに他例を示す一部拡大側面図である。
【図１０】図９に示すものの底面図である。
【図１１】本発明の他の例を示す一部拡大側面図である。
【図１２】図１１に示すものの底面図である。
【図１３】比較例として用いたものを底面側から見た一部省略斜視図である。
【図１４】従来使用されていたヘラの斜視図である。
【発明を実施するための形態】
【００１２】
手に把持することができるハンドル２の一端部に、プラスチック、金属、木材などの硬質の材料で形成した回転体３を設けている。この回転体の材料として好ましいものとして、例えば、ポリアミド樹脂のＰＡ−６の一種であるＭＣナイロン（商標）のような適度の硬さを有しているものが挙げられる。図１，２に示すものでは、ハンドル１の一端部に略Ｕ字状の切欠部４を設け、ここに円盤状の回転体３を嵌めて軸５で回転可能に取り付けている。
【００１３】
上記回転体３の厚さは、後記する被着物の溝部の幅よりも大きくなっており、その幅方向の中央部に外方に突出するような稜部６を形成している。この稜部６の先端縁は刃物程に鋭利ではないが、後記する保護フイルムを回転する回転体３によって切断することができる程度に尖った状態に形成されて切断刃６１にされている。
【００１４】
上記回転体３の中央部の稜部６から軸５の両側に向って、傾斜面７を形成している。この傾斜面７は、後記するように稜部６の切断刃６１によって切断された溝部の保護シートの端部を、溝部の内側面に押圧して貼り付けることができるような形状に形成しており、図示するものでは、内側に向って窪むような曲面を描くように形成している。
【００１５】
こうした溝部貼付用具１は、次のようにして使用される。例えば、図３に示すように乗用車１０の塗装された表面は粘着性保護シート１１を被せるようにして覆われているが、この乗用車のフロントフェンダー１２とボンネット１３の間、フェンダーとドアの間、ドアとドアの間、リアフェンダーとトランクパネルの間などの溝部（隙間）１４を跨いでこれを覆っている部分１５に、この溝部貼付用具１の回転体３を当てて押付けるようにすると、保護シート１１は切断されるので、回転体３を回転させつつ溝部１４に沿って手前に引いたり、逆に押したりして動かして行くと連続して容易に切断することができる。
【００１６】
そうして回転体３の稜部６の先端縁に設けた切断刃６１よって切断された切断端部１６は、図４に示すようにその回転体３の傾斜面７によって溝部１４の内側に押し入れられながら、更に溝部の内側面１７に押付けられて貼付されるので、溝部に沿って皺が寄ることもなく確実に貼付することができ、溝部の表面を確実に保護することができるようになる。
【００１７】
上記回転体３の稜部６は、回転体３の中央部ではあっても、図５に示すように厚さ方向の一方に偏らせるようにして設けることができ、こうしたものでは溝部における切断幅を変えた方が良いような箇所で使用すると便利である。また、図６に示すように、稜部６の中央部に隙間２０を設けて、二重稜部２１、２１に形成することもできる。この場合、回転体３を半割りにしスペーサー２２を間に介在させるようにして形成することもできる。
【００１８】
上記ハンドル２には、図７に示すように、上記回転体３を溝部においてガイドするようなガイドローラー２３を両側に設けることができる。このガイドローラー２３は、溝部１４を跨ぐようにして位置させ、上記被着物の表面に接した状態で回転させながら引いたり、押したりして移動させると、回転体３が回転しながら安定的に溝部に沿って移動することができるようになるから、作業効率が上がると同時に一層確実に保護シートを切断して端部の貼付処理を行うことができる。
【００１９】
また、図８に示すように上記回転体は、２つの回転体３１、３２を連結杆３３によって前後方向に連設し、これを軸３４によって揺動可能にするようにすれば、一方の回転体で保護シートを切断しながら、他方の回転体で切断端部を溝部の内側表面に一層確実に貼付することができようになって便利に使用することができる場合もある。また、図示のものではガイドローラー２３も設けている。
【００２０】
上記ハンドル２には、図９、１０に示すように回転体３の稜部６に近接する位置に、溝部を覆う粘着性保護シートを切断するための切断刃２４を設けることができる。この切断刃２４は、カッター刃のように鋭利なものでもよいし、バネ鋼のようにそれ程に鋭利なものでなくても良い場合がある。ハンドルを持って手前に引くようにすると、保護シートの厚さが厚かったり、やや丈夫であったりした場合にもこの切断刃２４によってスムーズに切断することができるようになり、続いて回転体３が切断端部を溝部に押し入れ、溝部の内面に貼り付けできるようになる。
【００２１】
こうした切断刃２４は、回転体３の稜部６に近接する位置に設けているので、回転体３を溝部１４に挿入するような状態にして保護シートを切断している場合を除いて、自動車などの被着物の表面に直接触れるようなことが無いから、これらを不用意に傷つけてしまうようなことはない。また、この場合には回転体３に溝部の保護シートを切断することまで要求されないので、比較的柔らかなプラスチックやゴムで形成するようにすることもできる。
【００２２】
また、図１１、１２に示すように、上記した稜部６の中央部に隙間２０を設けて、二重稜部２１，２１に形成しているものでは、上記切断刃２４を設ける場合に切断刃の刃先が上記二重稜部２１、２１の隙間２０の中に位置するようにしたり、隙間２０の外で同一平面上に位置するようにすると好ましいことが多い。
また、上記各種の溝部貼付用具１のハンドル２の回転体３とは反対側の端部にヘラ部２５を形成しておくと、溝部における貼付け状態の修正、曲り角のような部分の処理、修整などを行う場合に便利に使用することができる。
【００２３】
（試験）
本発明における作用効果を見るために、実施例１〜４及び比較例１〜２を用意し、これらについて下記の各試験を行って評価した。
【００２４】
（実施例１〜４）
実施例１：図１、２に示す溝部貼付用具。
実施例２：図７に示すガイドローラーを設けた溝部貼付用具。
実施例３：図９，１０に示す溝部貼付用具。
実施例４：図１１，１２に示す溝部貼付用具。
【００２５】
（比較例１〜２）
比較例１：図１４に示す従来のヘラ。
比較例２：図１３に示すハンドルの先端部にカット用刃体を形成しガイドローラーを設けたもの。
【００２６】
下記の試験体を用意して下記の検討を行った。
（試験体）
厚さ４０μｍのポリプロピレン基材に、厚さ１０μｍのゴム系粘着剤層を設けた保護シートを、溝間隔が５ｍｍ、溝深さが１０ｍｍの表面に塗装をした板に貼り付けたものを用意した。
【００２７】
（検討１）保護シートを切断するときの作業性の良否を調べた。
（検討２）保護シートの切断端部の溝部への圧着性の良否を調べた。
（検討３）保護シートを切断し溝部へ貼付した後の施工部外観の良否を調べた。
（検討４）上記検討１〜３に基づく総合評価を行った。
（判定）  ◎・・・優，    ○・・・良，    △・・・可，    ×・・・劣
【００２８】
（結果）
試験の結果を下記の表１に示す。
【表１】
2013223587.tif 000003
注１：切断時、保護シートに若干の伸びが見られた。
注２：切断時に保護シートの伸びが見られた。
注３：溝部に対する保護シートの切断端部の圧着が不充分であった。
注４：保護シート端部に若干の伸びが見られた。
注５：溝部圧着部に若干の気泡の抱き込みが見られた。
注６：圧着部に多数の気泡抱き込みが見られた。
【００２９】
（評価）
実施例１においては、シート切断作業性及び施工部外観においてほぼ良好であり、また溝部への圧着性が良好であって、比較例に比べて良好な結果が得られている。
実施例２では、実施例１よりもシート切断作業性、溝部への圧着性共に良好であって、比較例に比べて良好な結果が得られている。
実施例３、４のものではいずれも、実施例１、２に比較してシート切断作業性、溝部への圧着性、施工部外観が更に向上しており、優れた結果が得られていることが判る。
【符号の説明】
【００３０】
１    溝部貼付用具
２    ハンドル
３    回転体
４    切欠部
６    稜部
６１  稜部の先端縁の切断刃
７    傾斜面
１１  粘着性保護シート
１４  溝部
１６  シートの切断端部
１７  溝部の内側面
２０  回転体の稜部の隙間
２３  ガイドローラー
２４  切断刃
【図１】
2013223587.tif 000004
【図２】
2013223587.tif 000005
【図３】
2013223587.tif 000006
【図４】
2013223587.tif 000007
【図５】
2013223587.tif 000008
【図６】
2013223587.tif 000009
【図７】
2013223587.tif 000010
【図８】
2013223587.tif 000011
【図９】
2013223587.tif 000012
【図１０】
2013223587.tif 000013
【図１１】
2013223587.tif 000014
【図１２】
2013223587.tif 000015
【図１３】
2013223587.tif 000016
【図１４】
2013223587.tif 000017